(57)【要約】【課題】可変長のラベルに情報を印刷する際に、ラベルの印字内容が読みにくくならないようにすると共に、ラベル用紙が無駄に消費されることを抑制できる印刷用情報を生成するラベル編集装置を提供する。【解決手段】設定された可変長印字領域ＡＲ３の長さ方向の寸法よりも入力された印字内容（イメージ）ＩＭ１，ＩＭ２の長さ方向の寸法が小さい場合、印字内容に合わせて可変長印字領域の長さを小さく変える（再設定する）と共に、設定された可変長印字領域ＡＲ３の長さ方向の寸法よりも入力された印字内容ＩＭ３の長さ方向の寸法が大きい場合、その旨を報知する。【選択図】        図１１
2014213605.tif 000002
【特許請求の範囲】
【請求項１】
発行方向の寸法が一定でない可変長のラベルの印刷面に印刷する情報を配置するレイアウトの設定画面を表示し、その設定画面に対する設定内容に基づいて、少なくとも、印刷領域の発行方向の寸法が一定の１つ以上の固定長印刷要素の印刷領域と、前記ラベルの発行方向の前部または後部に配置され、印刷領域の発行方向の寸法が一定でない可変長印刷要素の印刷領域とを含むレイアウト情報を入力するレイアウト情報入力手段と、
前記ラベルの印刷面に印刷する情報の内容を表す印刷内容情報を入力する印刷内容情報入力手段と、
前記レイアウト情報入力手段が入力した前記可変長印刷要素の印刷領域に対応して前記印刷内容入力手段が入力した印刷内容情報の発行方向の情報量が、前記可変長印刷要素の印刷領域の発行方向の寸法に対応した情報量よりも大きい場合には、前記可変長印刷要素の印刷領域への印刷を行えない旨を報知する報知手段と、を備えたことを特徴とするラベル編集装置。
【請求項２】
前記レイアウト情報入力手段が入力した前記可変長印刷要素の印刷領域に対応して前記印刷内容入力手段が入力した印刷内容情報の発行方向の情報量が、前記可変長印刷要素の印刷領域の発行方向の寸法に対応した情報量以下の場合には、前記可変長印刷要素の印刷領域の発行方向の寸法を前記印刷内容入力手段が入力した印刷内容情報の発行方向の情報量に対応した値に再設定し、その再設定した前記可変長印刷要素の印刷領域を含む全ての印刷領域及びそれぞれの印刷領域間の空白行を含めた発行方向の寸法の総和を、ラベルの発行方向の寸法に設定するとともに、それぞれの印刷領域の間に含まれる空白行は保持するレイアウト情報設定手段をさらに備えたことを特徴とする請求項１に記載のラベル編集装置。
【発明の詳細な説明】
【技術分野】
【０００１】
本発明は、発行方向の寸法が一定でない可変長のラベルに印刷する情報を編集するラベル編集装置に関する。
【背景技術】
【０００２】
一般に、ＪＡＳ法上の加工食品の容器や包装に貼付されるラベルには、加工食品品質表示基準に基づき、共通の義務表示事項を含む事項が印刷（印字）されている。また、ＪＡＳ法上の加工食品以外の食品等については、食品衛生法に基づく表示内容を含む事項が印刷されている。
【０００３】
このようなラベルに印刷（印字）される項目には、日付や販売者の住所などのようにそのラベルが貼付される対象にかかわらず印字内容の情報量が一定のものと、添加物の一覧表示や任意のイメージ画像（例えば、販促用のＰＯＰ画像など）などのようにそのラベルが貼付される対象に応じて印刷内容（印字内容）の情報量が定まるものとがあり、前者の項目を印刷するラベルの印字領域はその長さ方向の寸法が一定の固定長印字領域（固定長印刷領域）であり、後者の項目を印刷するラベルの印字領域はその長さ方向の寸法が印字内容の情報量によって変化する可変長印字領域（可変長印刷領域）である。
【０００４】
一方、ラベルの印字レイアウト（印刷レイアウト）を設定する場合、ラベルに印刷する項目の数及び内容は、そのラベルが貼付される商品の種類に応じて変わるのが一般的であり、例えば、ライナーレスラベルのように、長さ方向の寸法が一定でない可変長のラベル用紙を用いると、より多くの種類の商品のラベルに対応することができる。
【０００５】
このようなライナーレスラベルを用いた場合に、ラベル用紙の無駄を減らすことができるようにしたラベルプリンタとしては、ラベルの印字内容に含まれる空白行を除去することでラベルの長さ方向の寸法を短縮し、それによって、ラベル用紙の消費を抑えるようにしたものがある（特許文献１参照）。
【先行技術文献】
【特許文献】
【０００６】
【特許文献１】特許２５８０９６７号公報
【発明の概要】
【発明が解決しようとする課題】
【０００７】
しかしながら、特許文献１に開示されたものでは、ラベルプリンタの操作員（オペレータ）がラベルの印字レイアウトを設定する際、客がラベルの印字内容を読みやすいように、印字項目間に空白行を設けた印字レイアウトを設定した場合であっても、その空白行が削除されるため、設定した印字レイアウトが崩れ、ラベルの印字内容が読みにくくなるという不具合を生じるおそれがあった。
【０００８】
この発明は、かかる実情に鑑みてなされたものであり、可変長のラベルに情報を印刷する際に、ラベルの印字内容を読みやすくすると共に、ラベル用紙が無駄に消費されることを抑制できるラベル編集装置を提供することを目的とする。
【課題を解決するための手段】
【０００９】
この発明は、発行方向の寸法が一定でない可変長のラベルの印刷面に印刷する情報を配置するレイアウトの設定画面を表示し、その設定画面に対する設定内容に基づいて、少なくとも、印刷領域の発行方向の寸法が一定の１つ以上の固定長印刷要素の印刷領域と、前記ラベルの発行方向の前部または後部に配置され、印刷領域の発行方向の寸法が一定でない可変長印刷要素の印刷領域とを含むレイアウト情報を入力するレイアウト情報入力手段と、前記ラベルの印刷面に印刷する情報の内容を表す印刷内容情報を入力する印刷内容情報入力手段と、前記レイアウト情報入力手段が入力した前記可変長印刷要素の印刷領域に対応して前記印刷内容入力手段が入力した印刷内容情報の発行方向の情報量が、前記可変長印刷要素の印刷領域の発行方向の寸法に対応した情報量よりも大きい場合には、前記可変長印刷要素の印刷領域への印刷を行えない旨を報知する報知手段とを備えたものである。
また、前記レイアウト情報入力手段が入力した前記可変長印刷要素の印刷領域に対応して前記印刷内容入力手段が入力した印刷内容情報の発行方向の情報量が、前記可変長印刷要素の印刷領域の発行方向の寸法に対応した情報量以下の場合には、前記可変長印刷要素の印刷領域の発行方向の寸法を前記印刷内容入力手段が入力した印刷内容情報の発行方向の情報量に対応した値に再設定し、その再設定した前記可変長印刷要素の印刷領域を含む全ての印刷領域及びそれぞれの印刷領域間の空白行を含めた発行方向の寸法の総和を、ラベルの発行方向の寸法に設定するとともに、それぞれの印刷領域の間に含まれる空白行は保持するレイアウト情報設定手段をさらに備えたものである。
【発明の効果】
【００１０】
以上説明したように、本発明によれば、可変長のラベルに情報を印刷する際、ラベルの印字内容（印刷内容）が読みやすいと共に、ラベル用紙が無駄に消費されることを抑制できる。効果の詳細は、後述する。
【図面の簡単な説明】
【００１１】
【図１】図１は本発明の一実施例に係るラベル貼付装置１００の一例を示す斜視図である。
【図２】図２はラベル貼付装置１００の概要を示す図である。
【図３】図３はラベル貼付装置１００のラベル発行部４０の一例を示す図である。
【図４】図４はラベル貼付装置１００の電気的なブロック図である。
【図５】図５は、ライナーレスラベルＬの一例を示す概略図である。
【図６】図６（ａ）は、操作員が操作表示部４を操作することで、１つのライナーレスラベルＬについて設定したラベル情報の一例を示した概略図、同図（ｂ）は、ラベル情報に含まれる情報要素である印字領域情報群の一例を示した概略図、同図（ｃ）は、印字領域情報群の１つの情報要素である印字領域情報の一例を示した概略図である。
【図７】図７（ａ），（ｂ）は、操作員がライナーレスラベルＬの印字内容を設定する際、制御部３１が操作表示部４の表示部３９に表示し、操作員が操作する画面（ラベルサイズ設定画面）の遷移の一例を示した概略図である。
【図８】図８（ａ），（ｂ）は、図７（ｂ）に続く画面の遷移の一例を示した概略図である。
【図９】図９（ａ），（ｂ）は、図８（ｂ）に続く画面の遷移の一例を示した概略図である。
【図１０】図１０は、図９（ｂ）に続く画面の遷移の一例を示した概略図である。
【図１１】図１１（ａ）〜（ｄ）は、印字レイアウトを設定したライナーレスラベルＬの印字領域の設定例を示した概略図である。
【図１２】図１１（ａ）〜（ｄ）に対応して印字出力されるライナーレスラベルＬの印字例を示した概略図である。
【図１３】可変長印字領域に印字するイメージデータを入力する際に、制御部３１が行う処理の概略を示したフローチャートである。
【発明を実施するための形態】
【００１２】
以下、添付図面を参照しながら、この発明の実施の形態を詳細に説明する。
〔実施例〕
図１は本発明の一実施例に係るラベル編集機能を有するラベル貼付装置１００の一例を示す斜視図である。図２はラベル貼付装置１００の概要を示す図である。図３はラベル貼付装置１００のラベル発行部４０の一例を示す図である。図４はラベル貼付装置１００の電気的なブロック図である。
【００１３】
本発明の実施例に係るラベル貼付装置１００は、ラベル発行部４０と、ラベル発行部４０から発行されたラベルを吸着保持し、商品の所定位置にラベルを貼付する貼付手段としてのラベル貼付部４１と、を有する。また、ラベル貼付装置１００は、商品Ｗを上流側からラベル貼付領域Ｌｐに搬送し、ラベル貼付領域Ｌｐでラベル貼付部４１によりラベルを貼付した商品Ｗを下流側に排出する搬送手段１と、商品のラベル貼付位置を記憶する記憶手段としての記憶部３２と、ラベル貼付部４１および搬送手段１などを制御する制御部３１と、を有する。
【００１４】
本実施例に係る商品Ｗは、加工された食品などの被包装物がトレイ上に載置されており、トレイ上面の開口部をフィルムで覆うように包装されている。ラベル貼付部４１は、その貼付対象物である商品の上面（被貼付面）にラベルを貼付する。尚、ラベル貼付対象物としての商品Ｗは、上記実施例に限られるものではない。
ラベル発行部４０は印字データの大きさなどに基づいて規定される可変長のラベルを発行する。ラベル貼付部４１が、商品の被貼付面のサイズよりも小さいラベルを商品に貼付した場合、ラベル貼付済み商品を搬送コンベア（搬送手段１）により下流側に排出する。例えば、図１に示したように、搬送手段１の下流側には、ストックコンベア５１が配置されており、搬送コンベア（搬送手段１）により下流側に排出された商品Ｗが順に一時的に滞留する。
また、ラベル貼付部４１は、商品の被貼付面よりも大きいサイズ（長いサイズ）のラベルを商品に貼付する場合、被貼付面の端部から、ラベルの端部がはみ出た状態で貼付される。
【００１５】
制御部３１は、ラベル吸着部の中心位置を、ラベル発行口から商品上のラベル貼付位置までの水平方向の移動距離に対する増減量の水平移動距離データと、前記ラベル吸着部を商品上のラベル貼付位置から商品に向かって降下開始させるタイミングデータとからなる貼付位置データと、印字項目に応じたラベルのサイズとに基づいて、ラベルが商品の被貼付面からはみ出すか否かを判断し、はみ出すと判断したラベルを、商品Ｗの被貼付面からはみ出す状態で商品に貼付した場合、搬送手段１の駆動を停止させる処理を行う。
そして、制御部３１は、表示部３９に、ラベルがはみ出して商品に貼付された旨を示す画像などを表示する処理を行い、操作者（オペレータ）などにそれを報知する。
なお、商品Ｗへのラベル貼付位置データは、図示していないラベル貼付条件決定テーブル（ラベル貼付条件）を記憶部（後述）に記憶し、この記憶部に記憶させておく情報は、商品が収容されたトレイのサイズ（種類等も含む）に応じたトレイ番号に応じて設定され、具体的には、風袋重量（トレイ重量）と、ラベル貼付位置を特定するためのラベル貼付座標（Ｘ２，Ｙ２）と、ラベルの貼付方向（トレイの辺（端部）に対し貼付する角度）が設定される。
【００１６】
ラベル貼付座標（Ｘ２，Ｙ２）は、ラベル貼付部４１のラベル吸着部の中心位置を、ラベル発行口から商品上のラベル貼付位置までの水平方向の移動距離データ（ラベル貼付座標Ｘ２）と、ラベル吸着部を商品上のラベル貼付位置から商品に向かって降下させた位置（ラベル貼付座標Ｙ２）とからなる。ラベル吸着部を商品上から降下させた位置とは、ラベル吸着部を商品上から降下開始させるタイミングデータＴと略同意である。つまり、ラベル吸着部を商品上から降下させた位置は、ラベル吸着部を商品上から降下開始させるタイミングデータＴによって規定される。
詳細には、タイミングデータＴは、商品Ｗがセンサ３５により検出された時（Ｔ＝０）から、ラベル吸着部を待機位置（Ｘ，Ｚ）から下降開始させるまでの遅延時間であり、商品Ｗ上におけるＹ軸方向のラベル接着位置（ラベル貼付座標Ｙ２）を定める。
したがって、時間Ｔ＝０のときにＹ２＝０とした場合は、商品Ｗがラベル貼付領域Ｌｐに搬送される搬送速度が毎秒Ｄ（ｍｍ）とすると、貼付タイミング時間Ｔ（タイミングデータＴ）は、Ｔ＝Ｙ２／Ｄにより算出される。ただし、Ｙ２はラベル貼付条件から求まる。
なお、ラベル吸着部の待機位置におけるＺデータは、ラベル貼付領域Ｌｐにおける商品Ｗの載置面から鉛直上方向におけるラベル吸着部の初期位置（原点）からラベル貼付を行なうためのラベル吸着部の待機位置までの垂直距離を表す。Ｚデータは、次の数式（１）により算出される。
【００１７】
［数１］
Ｚ＝（Ｚ０−Ｚ２）−Ｈ    ・・・（１）
【００１８】
Ｚ０はラベル吸着部の初期位置（原点）からラベル貼付領域Ｌｐにおける商品Ｗの載置面までの垂直距離（一定値：機構上決定されている）を示し、Ｚ２はラベル貼付を行なうためのラベル吸着部の待機位置（Ｘ，Ｚ）からラベル接着位置（商品Ｗの上面）までの垂直距離（一定値）を示し、Ｈはセンサ１５ｂにより検出された商品Ｗの高さを示す。
なお、Ｚ２データは、貼付タイミング時間Ｔ（タイミングデータＴ）と共に商品Ｗ上のラベルＬａのＹ方向の位置を決定するものであり、商品の高さＨによってラベル接着位置にバラツキが生じないように一定値に設定される。
【００１９】
水平移動距離データには、ラベル発行口から商品上のラベル貼付位置までの距離と、この距離に対して補正する水平移動距離（＋、−）が設定されており、同様に、タイミングデータには、ラベル発行口から商品上のラベル貼付位置までの距離と該商品の搬送速度に基づくタイミングと、このタイミングに対して補正するデータ（＋、−）が設定されている。なお、商品の搬送方向をＹ軸方向とするＸＹ直交座標系において、この座標系の原点に商品（トレイ）の右下コーナー部を位置させた時のラベル吸着面の中心がラベルＬａの中心（ＬＣ）とほぼ一致する。従って、例えば、長いライナーレスラベル（ラベルＬａ）の上面貼付領域を商品の上面に貼付すると、ラベルの折曲部が商品端部に位置するように貼付される。
【００２０】
操作者（オペレータ）などは、ラベル貼付領域Ｌｐまたはその近傍に載置された、ラベルＬａがはみ出た状態の商品Ｗを手に取り、その商品Ｗをラベル貼付領域Ｌｐ外に持ち出した後、ラベルＬａを略Ｌ字形状に折曲げて、折曲げた部分を商品Ｗの側面などに貼付する。尚、ラベルＬａを折曲げて商品Ｗの側面に貼付した状態で、ラベルＬａが側面からはみ出した場合、操作者は、さらにラベルＬａを折曲げて、商品の底面にラベルＬａを貼付する。
【００２１】
次に、操作者などは、上記ラベルＬａを貼付した商品をラベル貼付領域Ｌｐまたはその近傍の元の位置に載置する。次に、操作者は、表示操作部４に表示された停止解除ボタンの操作や機械的な停止解除ボタンを操作する。制御部３１は、停止解除ボタンが操作されて、搬送手段１の駆動停止の解除指示を受けた場合、搬送手段１の駆動停止の解除を行い、搬送手段を駆動させる。
【００２２】
以下、本発明の実施例のラベル貼付装置１００を詳細に説明する。
【００２３】
図１、図２、図３、図４に示したように、本発明の実施例に係るラベル貼付装置１００は、包装機能を有する。詳細には、ラベル貼付装置１００は、ストレッチ包装部１１と、ラベル発行部（計量ラベルプリンタ）４０と、ラベル発行部４０から発行されたラベルＬａを受け取って包装済みの商品Ｗにラベルを貼付するラベル貼付部４１と、などを有する。
ラベル発行部４０はストレッチ包装部１１におけるヒータ１０（ヒートシール部）の側方上部に配置され、ラベル貼付部４１はラベル発行部４０の近傍に配置されている。
【００２４】
なお、ラベル貼付部４１の構成は詳細に図示していないが、以下の様な構成となっている。ラベル貼付部４１は、３つの駆動機構を備えており、第一の駆動機構は、水平モータと該モータを駆動させる駆動回路を備え、ラベル吸着部を水平、即ち商品の搬送方向と直交する方向に移動させる水平モータ（第１の駆動機）を駆動する回路で、その水平モータとしてはステッピングモータが使用されている。従って、ステッピングモータの駆動パルス数をカウントすることでラベル吸着部の位置を検出することができる。このステッピングモータは、例えば、右回転の時はプラスカウント、左回転の時はマイナスカウントとなるように構成されている。
【００２５】
また、更に水平基準位置センサを備え、この水平基準位置センサは、ラベル吸着部が水平方向の基準位置に位置したことを検出するセンサで、この基準位置からの前記駆動パルスのカウント値によってラベル吸着部の水平方向の位置決めが行われる。
第二の駆動機構は、上下モータと該上下モータを駆動させる駆動回路及び上下基準位置センサとを備えたものであり、上下モータ（第２の駆動機構）がラベル吸着部を上下方向へ移動させるものである以外は前記した水平モータと同様である。
第三の駆動機構は、ラベル吸着部を回転させるための回転モータと該回転モータを駆動させる駆動回路及び回転基準位置センサを備えたものであり、回転モータ（第３の駆動機構）は、ラベル吸着部を商品搬送面と平行な面で回転させるモータで、回転モータの駆動パルスで位置決めされる距離ではなく、回転角度である点を除くと前記した水平モータの場合と同じである。
【００２６】
また、ラベル貼付部４１は、ラベル貼付センサを更に備えており、ラベルが商品に貼付されたこと、つまりラベル吸着部の吸着面が商品Ｗに当接されたことを検出するセンサで、ラベル吸着部に上側方向の力が一定以上加わったことにより前記上側の平行アームが支持腕から離間したことを検出する。
【００２７】
ストレッチ包装部１１は、機枠１１ａの前方に商品Ｗを載置する商品載置部１２が配置され、その商品載置部１２に載せた商品Ｗをプッシャコンベア１３により機枠内部に設けたエレベータ１４まで搬送する。
尚、商品Ｗは容器であるトレイに収容された状態で搬送される場合を例示し、また、商品載置部１２は計量部５０の計量皿として構成されており、その商品載置部１２の手前側近傍には商品Ｗの横幅を検出する幅検出センサ１５ａが設けられている。
更に、プッシャコンベア１３による商品搬送路上には、そのプッシャコンベア１３の側方に位置させて商品Ｗの高さを検出する高さ検出センサ１５ｂは、高さを検出すると共に商品Ｗの奥行き寸法（搬送方向に沿った長さ寸法）を計測する長さ検出センサを兼ねている。
【００２８】
商品載置部１２に載置された商品Ｗの横幅（Ｌ）を検出する幅検出センサ１５ａは、可動式の右側および左側の反射型光センサを有する。
商品Ｗの右側長さ（ＬＲ）を検出する右側の反射型光センサおよび商品Ｗの左側長さ（ＬＬ）を検出する左側の反射型光センサはそれぞれ、商品Ｗが載置された略中央位置から横幅方向に離間するように移動して（商品の右側長さＬＬ＋商品の左側長さＬＲ）を検出する。この商品Ｗの横幅（寸法Ｌ）は包装機の制御に使用される。幅検出センサ１５ａは、長さデータＬ、即ち（ＬＬ＋ＬＲ）をラベル発行部（計量ラベルプリンタ）４０の制御部に送信する。
【００２９】
また、商品Ｗの高さＨを検出する検出センサ１５ｂは投光器と受光器を有し、投光器と受光器が商品搬送路の途中に搬送路を挟んで高さ方向に所定の間隔をおいて多数個配置され、搬送路上を搬送される商品の高さに応じて投光器の光が遮られることで商品の高さＨを検出する。そして、その高さデータは包装機の制御に用いられると共に、ラベル発行部（計量ラベルプリンタ）４０の制御部に送信される。
【００３０】
また、商品Ｗの縦幅Ｗを検出する検出センサ１５ａは、所定の基準点に対するセンサの位置Ｐ０と、商品載置部１２に載置された商品Ｗがプッシャコンベア１３のプッシャに押されて機枠内部に設けたエレベータ１４に商品Ｗを搬送する際、搬送路上を搬送される商品Ｗによってセンサの投光器の光が遮られたときのプッシャの位置Ｐとの差分（Ｐ０−Ｐ）として商品Ｗの縦幅が検出される。
このように、商品Ｗ（トレイ）のサイズ（横幅Ｌ・高さＨ・縦幅Ｗ）は、ストレッチ包装部１１の機枠内部に設けたエレベータ１４に搬送される途中で検出される。
【００３１】
上記エレベータ１４の上方には包装部１６が設けられ、その包装部１６の側方（プッシャコンベアと直角に交差した方向）にフィルムロール１７をセットし、該フィルムロール１７から繰り出されるフィルム１７ａをフィルムフィード機構５により引き出し、所定長さにカットした後に包装部１６まで移送する。
【００３２】
上記包装部１６には、フィルムフィード機構５の上方に、商品Ｗの上面を覆うフィルム１７ａの端部を商品Ｗの底部側に折り込む後折り込み部材６と左右折り込み部材７，７’、その左右折り込み部材７，７’の上方に位置して包装済みの商品Ｗを排出する排出プッシャ（プッシャ）８、及び、排出プッシャ８の移動方向前方位置に前折り込みローラ９が配設されている。
上記フィルムフィード機構５は、フィルムの幅方向の側端部を挟持する上下一対の無端状の弾性ベルト５ａ，５ｂと、下側の弾性ベルト５ｂを上側の弾性ベルト５ａ側へ圧接するクランプ板５ｃとで構成され、それらが包装部１６を挟んで前後に配置されている。
【００３３】
また、前折り込みローラ９の前方には、商品Ｗの底面側に折り込まれたフィルムの端部の重なり部を加熱して接着し排出するヒータ（ヒートシール部）１０とその前部に排出部が配設され、機枠１１ａ上には表示操作部４（コンソール部）が、更にヒータ（ヒートシール部）１０の側方上部にラベル発行部４０（計量ラベルプリンタ）が、ヒータ（ヒートシール部）１０の上方にはラベル貼付部４１が設置されている。
【００３４】
ヒータ（ヒートシール部）１０は、複数のプーリに亘ってガラス繊維等からなる無端状ベルトが回転可能に巻回され、その無端状ベルトの搬送面（往路側ベルト）の下部に熱板が配置されて構成されている。熱板は電気的に加熱されヒータ（ヒートシール部）の熱源となる。また、熱板は温度検出手段として制御手段を構成するサーモスタット（図示省略）に電気的に接続され、一定温度を保つように制御されている。サーモスタットが所定値以上の温度になると熱板への通電が遮断され、所定値以下の温度になると熱板に通電される。無端状ベルトはベルト全体が包装されて排出された商品の底面に折込まれたフィルムをヒートシール可能な温度に加熱維持されている。
【００３５】
プッシャ８の底部に断熱部は必須ではないが、発泡合成樹脂、例えばポリスチレンフォーム、硬質ウレタンフォーム、ポリエチレンフォーム、フェノールフォーム等の断熱材で構成された断熱部が、排出プッシャ８の底部一面に設けるようにしてもよい。そして、排出プッシャ８の底部に設けられた断熱部の底面はヒータ（ヒートシール部）１０の上面（無端状ベルトの表面）に対して擦らないよう僅かな隙間が設けられている。
【００３６】
また、排出プッシャ８の押圧面（商品Ｗと接触してその被包装物を押圧移送する面）の前面に断熱部は必須ではないが、排出プッシャ８の押圧面に断熱材が貼着された断熱部を構成するようにしてもよい。これにより金属板で構成された押圧面がヒータ１０の熱で熱くなったとしても、包装済みの商品Ｗと接する部分は断熱材からなる断熱部である為、包装するフィルムに熱で穴が開くのを防止することができる。
【００３７】
また、排出プッシャ８を移動させる駆動機構（図示省略）には、その排出プッシャ８が待機位置に位置することを検知する第１プッシャ位置検出センサと、排出プッシャ８が包装済みの商品Ｗを排出部上のラベル貼付領域Ｌｐへ排出させた位置（即ち、ヒータ（ヒートシール部）１０上に位置する）に移動したことを検知する第２プッシャ位置検出センサが設けられ、排出プッシャ８を第２プッシャ位置検出センサで検知すると排出プッシャ８を初期位置（待機位置）に戻す制御を行なう。これにより、商品Ｗをラベル貼付領域Ｌｐへ排出させる移動制御が行なわれる。
つまり、排出プッシャ８を第１プッシャ位置検出センサで待機位置に位置していることを検知した後、第２プッシャ位置検出センサにより前記排出プッシャ８を検出することにより、商品Ｗがラベル貼付領域Ｌｐに位置していると判断することができる。
【００３８】
また、ラベル貼付領域Ｌｐは、排出プッシャ８が商品Ｗを排出部へ排出するという包装動作の完了を示す。尚、例えば、第１及び第２プッシャ位置検出センサは透過型フォトセンサが使用され、該位置にて排出プッシャ８に付いているフラグがセンサを遮ることで該位置に排出プッシャ８が位置していることを検知する。なお、第１及び第２プッシャ位置検出センサとしては、例えば反射型フォトセンサを使用してもよい。
【００３９】
上記構成のストレッチ包装部１１は、プッシャコンベア１３でエレベータ１４上に搬送された商品Ｗがエレベータ１４の上昇により包装部１６に張架されたフィルム１７ａに対して突き上げられ、商品Ｗの上面を覆ったフィルム１７ａの端部は、後折り込み部材６と左右折り込み部材７，７’とにより商品Ｗの底面側に折り込まれる。
次に、排出プッシャ８により商品Ｗはヒータ（ヒートシール部）１０へ向けて水平に押動され、その押動の途中、フィルム１７ａの前側端部は前折り込みローラ９で商品Ｗの底面側に折り込まれ、その底面側に折り込まれたフィルム端部の重なり部はヒータ（ヒートシール部）１０でヒートシールされ、フィルムで包装された商品Ｗが得られる。そして、その包装を完了した商品Ｗは排出プッシャ８の押動によってヒータ（ヒートシール部）１０上から排出部上に排出される。
【００４０】
ラベル貼付装置１００は、上述したように、ラベル発行部４０と、そのラベル発行部４０から発行されたラベルＬａを商品（物品）Ｗに貼付するラベル貼付部４１と、を備える。
【００４１】
ラベル貼付部４１は、ラベル発行部４０から発行されたラベルＬａを受け取って搬送コンベア１’（図１参照）上を移動する商品（物品）ＷにラベルＬａを貼付する。詳細には、ラベル貼付部４１は、発行されるラベルＬａを、空気の負圧作用によってラベルＬａを吸着保持し、そのラベルＬａを吸着保持した部材を、ラベル貼付領域Ｌｐの商品（物品）Ｗに押し付けてラベルＬａを物品に貼付するように構成されている。ラベル貼付部４１によって貼付するラベルＬａの貼付位置は、商品（物品）Ｗの大きさ（例えば、トレイのサイズ）や形によって異なる。そのため、ラベル貼付部４１は、搬送される商品（物品）Ｗの大きさや形に合わせてラベルＬａの貼付位置を変更できるように移動可能に支持されている。
【００４２】
図３に示したように、ラベル発行部（プリンタ）４０は、ラベル用紙として一方面が印字面で他方面が粘着層を有する貼付面である長尺帯状のラベル用紙２１’がロール巻きされたライナーレスラベルロール２１を用いるライナーレスラベル発行部である。
【００４３】
ラベル発行部４０は、ケース４０ａ内にロール装填部２３が設けられ、そのロール装填部２３にセットされるライナーレスラベルロール２１のラベル用紙２１’の繰り出し方向前方位置に、印字部２５と、印字されたライナーレスラベル用紙を印字部２５での印字長さに対応した長さに切断する切断手段２６と、が配置されている。ライナーレスラベルロール２１は、ロール装填部２３に回転可能に支持される。
切断手段２６は、印字部２５で商品などの情報が印字され、ラベル送出口に向けて送出されるラベル用紙２１’を印字部２５での印字長さに対応した長さの枚葉状に切断する。切断手段２６は、ラベル送出口より水平状に送出されるラベル用紙２１’を挟むように配置した上下一対の可動刃２６ａと固定刃２６ｂとを有する。
【００４４】
印字部２５は、ラベル用紙２１’の下方（貼付面側）に位置するプラテンローラ２５ａと、ラベル用紙２１’の上方（印字面側）に位置するサーマルヘッド２５ｂとを有する。プラテンローラ２５ａは後述するステッピングモータ２４によって駆動回転するように構成されている。
ラベル用紙２１’の上方に位置するサーマルヘッド２５ｂは、ラベル用紙２１’を下側のローラ（プラテンローラ２５ａ）とで挾着するように下方に付勢され、それによりラベル用紙２１’を安定して送出し得るように構成されている。
【００４５】
また、印字部２５のプラテンローラ２５ａは、それぞれの表面に剥離剤がコーティングされており、ラベル用紙２１’の印字面とは反対側面に塗着されている粘着剤が付着しないように構成され、それによってラベル用紙２１’の送出が円滑に行われるようになっている。尚、ラベル用紙２１’の粘着層が上記ローラに付着しにくくする構成は上記構成に限らず、上記ローラ自体又はローラの最外周部分を易剥離性の部材で構成してもよい。
【００４６】
図４は、本発明の実施例に係るラベル貼付装置１００の電気的なブロック図である。
ラベル貼付装置１００は、ラベル発行貼付部４０Ｅと包装機構制御部１０２Ｅとを備えている。ラベル発行貼付部４０Ｅは、主としてラベル発行部４０とラベル貼付部４１などの制御を行なうとともに、ラベルの印刷内容を編集して印刷用情報を作成する機能を有するもので、制御部（ＣＰＵ）３１によって制御される。包装機構制御部１０２Ｅは、主としてストレッチ包装機１０２の機構部の制御を行うもので、ＣＰＵ６１によって制御される。
【００４７】
＜包装機構制御部１０２Ｅ＞
次に、包装機構制御部１０２Ｅについて説明する。
包装機構制御部１０２Ｅは、ＣＰＵ６１、通信用インターフェース回路（ＩＮＦ）６５、ＲＯＭ６２、ＲＡＭ６３、操作部６４、及び、機構駆動部６６を有する。各構成要素はバス（データ通信線など）６１ａを介して接続されている。
【００４８】
通信用インターフェース回路（ＩＮＦ）６５は、ラベル発行貼付部４０Ｅと各種データ、指令の通信を行なうための回路である。
【００４９】
ＲＯＭ６２は、ＣＰＵ６１が実行する制御プログラムを記憶している。
ＲＡＭ６３は、ＣＰＵ６１がＲＯＭ６２の制御プログラムを実行する場合に用いる各種レジスタ及びフラグのエリアの他に、商品の形状データ（縦、横、高さ）に基づいて制御データを決定するための各種テーブル等が記憶されている。
操作部６４は、装置の起動、停止等のためのスイッチである。
【００５０】
機構駆動部６６は、包装を実行する場合に包装機の各機構部を駆動するための回路で、具体的にはエレベータを駆動するモータ６７、被包装物を搬入するプッシャコンベアの搬入モータ６８、フィルムフィード機構のフィルム移送モータ６９等がある。尚、包装機の詳細については説明を省略する。
また、機構駆動部６６には、被包装物の横幅を検出する商品の幅検出センサ１５ａと、被包装物の高さを検出する高さ検出センサ１５ｂ、商品の長さを検出する長さ検出センサが接続されており、検出データをＣＰＵ６１へ供給するようになっている。
【００５１】
ラベル発行貼付部４０Ｅから包装機構制御部１０２Ｅへ、商品載置部上に載置された被包装物の計量が安定したことを報知する信号が送信される。また、包装機構制御部１０２Ｅからラベル発行貼付部４０Ｅへ、ラベル貼付位置決定のためのデータとして、幅検出センサ１５ａで検出された一方の長さデータ（商品の中央から幅方向端部までの長さデータ）と、検出センサ１５ｂにより検出された高さデータと、長さ（奥行き）データとなどが送信される。
【００５２】
＜ラベル発行貼付部４０Ｅ＞
ラベル発行貼付部４０Ｅは、制御部３１、記憶部３２、表示操作部（コンソール部）４、通信用のインターフェース回路（ＩＮＦ）４６、第１の物品検出センサ３５、第２の物品検出センサ３６、ラベル発行部４０、ラベル貼付部４１、貼付駆動部４２、搬送駆動部４３、商品検出センサ５９、計量部５０、などを有する。各構成要素は、バス３１ａ（データ通信線）などを介して接続されている。
【００５３】
ラベル発行部４０は、サーマルヘッド（印字手段）２５ｂ、プラテンローラ２５ａを駆動するステッピングモータ２４、サーマルヘッド２５ｂで印字したラベル用紙２１’を切断する切断手段２６としてのカッターなどを有する。サーマルヘッド（印字部）２５ｂ、ステッピングモータ２４、切断手段２６としてのカッターなどは、インターフェース３７を介して、制御部３１に接続されている。
【００５４】
記憶部３２は、ライナーレスラベルのラベル長などを記憶する。
記憶部３２は、ＲＯＭ３３、ＲＡＭ３４などの記憶装置を有する。
ＲＯＭ３３には、制御部３１が実行する各種制御プログラムが記憶されている。
ＲＡＭ３４は、制御部３１がＲＯＭ３３の制御プログラムを実行する場合に用いる各種レジスタ、フラグ等のエリアと、商品毎に予め各種データが記憶されたプリセットデータエリアとを備えている。
プリセットデータエリアには、被包装物（商品番号）に対応して、値段計算及びラベル印字用のデータである「品名」、「単価」、「バーコード」等の各種商品データが記憶された商品ファイル、ラベル印字のフォーマットが定義されたラベルフォーマットファイル、トレイファイルなどが記憶されている。
【００５５】
表示操作部（コンソール部）４は、キーボード（数字入力キー（テンキー）を含む）とタッチパネルからなる操作入力部３８と、液晶表示器などで構成された表示部３９と、を有する。表示操作部（コンソール部）４は、各種データ及び指令の入力、或いは制御部３１の指令に基づいて入力データの表示、プリセットデータの表示、各種メッセージの表示を行う。
本発明におけるライナーレスラベルＬ（ラベルＬａ）の貼付に関する各種データの入力等は、この表示操作部４の操作部または操作入力部３８を操作することで行うことができる（後述）。
計量部５０は、商品載置部に載置された被包装物の計量信号を制御部３１へ供給するものである。
【００５６】
通信用のインターフェース回路（ＩＮＦ）４６は、包装機構制御部１０２Ｅと各種データ、指令の通信を行う。
サーマルヘッド２５ｂ、ステッピングモータ２４、切断手段２６としてのカッターは、ラベル発行部４０の印字部を構成し、制御部３１の指令に基づいてライナーレスラベルに品名、値段、単価、バーコード等の印字を行い、印字したライナーレスラベルを切断手段２６としてのカッターで枚葉状に切断して、ラベルＬａをラベル発行口に発行する。
商品検出センサ５９は、排出路の側方で、ラベル吸着部が貼付のために垂直下降する位置の若干手前（包装部寄り）に配置され、該排出路に包装物の有無を検出して、ラベル貼付のための信号を発生する。商品検出センサ５９は、包装物がラベル貼付場所、即ち排出路（ヒートシール部）へ位置した場合、その旨を制御部３１へ出力する。
【００５７】
搬送駆動部４３は、搬送コンベア（搬送手段１）を駆動する搬送モータなどを有し、制御部３１の制御により搬送モータを駆動または駆動停止を行う。
【００５８】
第１の物品検出センサ３５は、発光部と受光部などから構成され、図２に示したように、排出路（ヒートシール部）１０の側方に配置され、排出プッシャ８によりラベル貼付領域Ｌｐに排出された商品Ｗの有り無しを検知し、それを示す信号を制御部３１に出力する。制御部３１は、その信号を基に商品Ｗへのラベル貼付のタイミングを調整する。
【００５９】
第２の物品検出センサ３６は、排出路（ヒートシール部）１０の前部に配設された搬送コンベア（搬送手段１）またはその近傍に、商品Ｗが載置されているか否かを示す信号を出力する。第２の物品検出センサ３６は、後述するように、発光部と受光部などを有する。
【００６０】
制御部３１は、各構成要素を統括的に制御する。制御部３１は、記憶部３２から読み出した制御プログラム（ＰＲＧ）などを実行することにより、コンピュータとしてのラベル貼付装置１００に各機能を実現させる。
【００６１】
制御部３１は、上述したように、商品Ｗに貼付するライナーレスラベルＬの印字項目に応じたライナーレスラベルＬのサイズとラベル吸着部の中心位置を、ラベル発行口から商品上のラベル貼付位置までの水平方向の移動距離に対する水平移動距離データと、ラベル吸着部を商品上のラベル貼付位置から商品に向かって降下開始するタイミングデータとに基づいて、そのライナーレスラベルＬが商品Ｗの被貼付面からはみ出すか否かを判断し、はみ出すと判断されたライナーレスラベルＬを、商品Ｗの被貼付面からはみ出す状態で該商品に貼付した場合、搬送手段１の駆動を停止させる処理を行う。
【００６２】
また、制御部３１は、ラベル貼付部４１によりライナーレスラベルＬを商品Ｗの被貼付面からはみ出す状態で該商品に貼付して、搬送手段１を停止させた場合、表示操作部４の表示部３９に、ライナーレスラベルＬがはみ出して貼付された旨を報知する処理を行う。
また、制御部３１は、操作入力部３８により、搬送手段１の駆動停止の解除指示を受けた場合、搬送手段１の駆動停止の解除を行う。
また、制御部３１は、可変長印字領域として定めた印字項目について、その印字項目の印字内容として入力されたイメージの高さ方向の寸法が、可変長印字領域の高さ方向の寸法よりも大きい場合には、その旨を報知手段としての表示部３９により報知する（例えば、警告メッセージを表示するなど；ワーニング出力（後述））。
【００６３】
ラベル発行部４０、ラベル貼付部４１、貼付駆動部４２などについては、上述したので説明を省略する。
【００６４】
図５は、ライナーレスラベルＬの一例を示す。
ライナーレスラベルＬは、幅寸法ＷＬと長さ寸法ＬＬで規定されたサイズを有した矩形の形状を有する。そして、このライナーレスラベルＬは、１つ以上の固定長印字領域ＲＳと、１つ以上の可変長印字領域ＲＶを含む。
【００６５】
固定長印字領域ＲＳは、矩形の形状を有し、その領域については、その左下の基準点Ｐ１を基準位置として、幅寸法ＷＳと長さ寸法ＬＳで規定される。同様に、可変長印字領域ＲＶは、矩形の形状を有し、その領域については、その左下の基準点Ｐ２を基準位置として、幅寸法ＷＶと長さ寸法ＬＶで規定される。ここで、固定長印字領域ＲＳと可変長印字領域ＲＶの基準位置は、ライナーレスラベルＬの左下の隅の点Ｐ０を原点とする絶対座標であらわされる。なお、単位は、印字機構の印字ドット（ドット）である。
【００６６】
図６（ａ）は、操作員が操作表示部４を操作することで、１つのライナーレスラベルＬについて設定したラベル情報の一例を示し、同図（ｂ）は、ラベル情報に含まれる情報要素である印字領域情報群の一例を示し、同図（ｃ）は、印字領域情報群の１つの情報要素である印字領域情報の一例を示す。
【００６７】
ラベル情報は、ライナーレスラベルＬの長さ寸法ＬＬ及び幅寸法ＷＬからなるラベル長情報と、１つ以上の印字領域情報を含む印字領域情報群とからなる。このラベル情報のデータは、記憶部３２に記憶される。
【００６８】
印字領域情報群の１つの情報要素である印字領域情報は、操作員がおのおのの印字領域（固定長印字領域ＲＳと可変長印字領域ＲＶ）に割り当てた項目の名称をあらわす項目名、操作員が設定したその印字領域の基準点のＸ座標及びＹ座標、幅寸法、長さ寸法、及び、その印字領域が可変長印字領域ＲＶであることを示す可変長フラグからなる。
【００６９】
なお、その印字領域が可変長印字領域ＲＶとして操作員に設定された場合は、可変長フラグとして「セット」をあらわす値が保存され、その印字領域が固定長印字領域ＲＳとして操作員に設定された場合は、可変長フラグとして「リセット」をあらわす値（非セット値）が保存される。
【００７０】
図７（ａ），（ｂ）、図８（ａ），（ｂ）、図９（ａ），（ｂ）及び図１０は、操作員がライナーレスラベルＬの印字内容を設定する際、制御部３１が操作表示部４の表示部３９に表示し、操作員が操作する画面（ラベルサイズ設定画面）の遷移の一例を示している。この場合は、可変長印字領域ＲＶの設定を行う操作の一例を示す。なお、固定長印字領域ＲＳの設定については、可変長印字領域ＲＶの設定と同様なので、設定内容が異なる部分のみを適宜記載するにとどめ、それ以上の説明を省略する。
【００７１】
図７（ａ）の画面が最初に表示されるラベルサイズ設定画面であり、同図（ｂ）の画面は、同図（ａ）の画面の「ラベラータイプの選択  標準」がタッチ操作されて「ラベラータイプの選択  ライナーレス」に変更された場合、次に遷移するラベルサイズ設定画面である。またこの場合、幅寸法として６０が操作部３８のテンキーから入力され、高さ寸法（長さ寸法）として１００が操作部３８のテンキーから入力されている。制御部３１は、このようにテンキーからの入力を必要とする操作項目については、テンキーからの入力値を対応する操作要素の右側の入力窓に表示するとともに、その操作要素の項目の値として印字領域情報に記憶する。
ここに、各寸法（及び後述する座標）の値の単位は、印字機構における印字のドット数である（以下、同じ）。
【００７２】
また、「ラベラータイプの選択  標準」のようにタッチ操作により値が変更される項目の操作要素は、タッチ操作のたびに、あらかじめ設定された２つ以上の順序づけられた値を順次切り替えてその項目に設定するように制御部３１により制御され、その時点で設定された値がその操作要素の右側の表示要素に表示される。ここで、操作要素の左側の表示要素には、その操作要素が操作対象としている項目名を表示している。
【００７３】
この場合、「ラベラータイプの選択」の項目には、「標準」と「ライナーレス」の２つの値がこの順に設定されていて、このラベルサイズ設定画面を最初に表示するとき、制御部３１は、「ラベラータイプの選択」の項目の値として１番目に設定されている「標準」を設定し、それにより、操作要素には、「ラベラータイプの選択  標準」と表示する。
【００７４】
そして、「ラベラータイプの選択  標準」がタッチ操作されると、制御部３１は、「ラベラータイプの選択」の項目の値として２番目に設定されている「ライナーレス」を設定し、それにより、操作要素には、「ラベラータイプの選択  ライナーレス」と表示する。
【００７５】
さらに、「ラベラータイプの選択  ライナーレス」がタッチ操作されると、制御部３１は、「ラベラータイプの選択」の項目の値として２番目の次（すなわち３番目）がないので１番目に戻り、１番目に設定されている「標準」を設定し、それにより、操作要素には、「ラベラータイプの選択  標準」と表示する。
【００７６】
このように、「ラベラータイプの選択」の項目の操作要素を操作員が操作するたびに、制御部３１は、「ラベラータイプの選択」に設定される値を、あらかじめ設定された「標準」と「ライナーレス」の２つの値に交互に変えるとともに、「ラベラータイプの選択」の項目の操作要素の表示内容を、その値を反映した内容に更新する。そして、制御部３１は、対応する印字領域情報に、操作により設定された値を記憶する。
【００７７】
なお、図７（ａ），（ｂ）、図８（ａ），（ｂ）、図９（ａ），（ｂ）及び図１０に示したそれぞれの操作画面には、操作要素として、上述した２種類の操作要素の少なくとも一方が１つ以上配置されている。そして、上述した２つの操作要素以外の操作要素に対する操作員の操作内容や、制御部３１が行う入力値の設定と、操作表示部４の表示部３９の表示内容の更新と、印字領域情報への値の記憶については、上述した２つの操作要素のいずれかと同様なので、その説明を省略する。
【００７８】
図７（ｂ）の画面で、可変長印字領域ＲＶを含むライナーレスラベルＬを設定する場合、操作員は、タッチ操作により「間隔」の項目を「ラベル長さ自動計算」に設定する。これにより、各印字領域の間に設けられる空白行の長さ方向の寸法が一定になる（後述）。
そして、操作員は、次画面に遷移させることを指令するためのタッチ操作要素（図示略）をタッチ操作して、図８（ａ）の画面（ラベルフォーマット設定画面）に遷移させる。続いて、操作員が図８（ａ）の画面の「値付けラベル」をタッチ操作すると、同図（ｂ）の画面（値付けラベル項目選択画面）に遷移する。
【００７９】
図８（ｂ）の画面は、ライナーレスラベルＬを値付けラベルとして用いる場合に、その値付けラベルに印字する項目の一覧を表示して、操作員が、可変長印字領域ＲＶに設定する項目を選択するための設定画面である。
【００８０】
この場合、「品名、添加物、スペシャルメッセージ、産地、広告文」のいずれかの項目を設定する場合は「名称」を、「品番、重量、内容量、バーコード、ロゴ、イメージ１〜３（可変）、イメージ（固定１）、イメージ（固定２）」のいずれかの項目を設定する場合は「基本項目」を、「加工日、賞味日、加工期間、正味時間、ＰＯＰ加工日、ＰＯＰ賞味日、ＰＯＰ加工時間、ＰＯＰ正味時間、過去固定日付、未来固定日付」のいずれかの項目を設定する場合は「日付」を、「コメント１〜３０、選択コメント１〜５、ＵＲＬコメント１〜５、選択ＵＲＬコメント」のいずれかの項目を設定する場合は「コメント」を、「個体識別番号１〜３、ロットＮｏ．」のいずれかの項目を設定する場合は「その他」をタッチ操作する。
【００８１】
なお、操作員がタッチ操作する操作要素の名称と設定項目との対応関係は、上述したものに限ることはない。また、操作員が設定する各項目の具体的な内容については、本発明に直接関係しないので、その説明を省略する。
【００８２】
操作員が、図８（ｂ）の画面の「基本項目」をタッチ操作すると、図９（ａ）の画面（項目選択画面）に遷移する。この図９（ａ）に示した画面は、「基本項目」に含まれる複数の項目を一覧表示して、操作員にいずれかの項目を選択させるための画面（項目選択画面）である。そして、この画面で、操作員が「イメージ１（可変）」をタッチ操作すると、同図（ｂ）の画面（項目設定画面）に遷移する。
【００８３】
操作員が、図９（ｂ）の画面の「可変長印字」をタッチ操作してその値を（「なし」から）「あり」に設定することで、「イメージ１（可変）」の印字領域を可変長印字領域ＲＶに設定する。また、操作員が「可変長印字」を「あり」に設定すると、図１０に示すように、図９（ｂ）に表示していた「印字なし」の操作要素が表示されなくなると共に、「幅」と「高さ（長さ）」の操作要素が表示される。
【００８４】
そして、操作員が操作部３８のテンキーを操作して、「幅」と「高さ」に数値を入力すると、その入力した値が、「イメージ１（可変）」の印字領域のそれぞれ幅方向と高さ方向（長さ方向）の最大値となる。図１０の例では、「幅」に値「４７０」が入力され、「高さ」に値「１００」が入力されているので、「イメージ１（可変）」の印字領域には、高さ寸法が１００（ドット）で幅寸法が４７０（ドット）までのイメージを印字することができる。
【００８５】
このような一連の操作を行って、操作員は、目的の項目の印字領域を設定する。
なお、図９（ｂ）の画面の「可変長印字」の項目の値を「なし」に設定すると、そのときに選択している項目（設定対象となっている項目）が固定長印字領域ＲＳに設定される。
【００８６】
以上のような操作を適宜に繰り返し、操作者は、ライナーレスラベルＬの印字レイアウト（ラベル印字面に対する各項目の印字領域の配置；印刷レイアウト）が所望するものとなるように設定する。
【００８７】
次に、このようにして印字レイアウトを設定したライナーレスラベルＬの印字領域の設定例と、ライナーレスラベルＬに実際に印字される印字例との関係について、図１１（ａ）〜（ｄ）及び図１２（ａ）〜（ｄ）を参照して説明する。
【００８８】
ここで、図１１（ａ）〜（ｄ）では、それぞれ同一の印字レイアウトが設定されていて、その印字レイアウトは、２つの固定長印字領域ＡＲ１，ＡＲ２と、１つの可変長印字領域ＡＲ３とを有する。ライナーレスラベルＬの印字が進む方向（印字方向）に、１番目が固定長印字領域ＡＲ２、２番目が固定長印字領域ＡＲ１と２つの固定長印字領域が連続して並び、固定長印字領域ＡＲ２よりも印字方向の前部に、可変長印字領域ＡＲ３が並ぶ印字レイアウトが設定されている。
【００８９】
もちろん、この印字レイアウトは一例であって、例えば、固定長印字領域ＡＲ１よりも印字方向の後部に、可変長印字領域を配置した印字レイアウトであってもよい。
要するに、本実施例の印字レイアウトには、１つまたは連続した複数の固定長印字領域が設定されるとともに、その１つの固定長印字領域またはその連続した複数の固定長印字領域をまとめてなる１つの印字領域よりも、印字方向の前部または後部の一方に、可変長印字領域を配置した印字レイアウトである。
なお、１つの固定長印字領域または連続した複数の固定長印字領域をまとめてなる１つの印字領域よりも、印字方向の前部及び後部にそれぞれ可変長印字領域を配置する印字レイアウトを設定してもよい。
【００９０】
また、このように可変長印字領域ＲＶを含むライナーレスラベルＬを設定する場合、操作員が、上述のように「間隔」の項目を「ラベル長さ自動計算」に設定する。これにより、固定長印字領域ＡＲ１と固定長印字領域ＡＲ２との間、及び、固定長印字領域ＡＲ２と可変長印字領域ＡＲ３との間には、それぞれ長さ方向に寸法ｄの間隔が設けられる。
【００９１】
さて、図１１（ａ）〜（ｄ）は、固定長印字領域ＡＲ１と固定長印字領域ＡＲ２にそれぞれ印字項目として「バーコード等」と「商品名」が設定されていることは共通しているが、可変長印字領域ＡＲ３の印字内容がそれぞれ異なる場合を示している。
【００９２】
図１１（ａ）は、可変長印字領域ＡＲ３には、印字内容のイメージ（画像）が入力されない場合を示している。
この場合、印刷出力されるライナーレスラベルは、図１２（ａ）に示したように、固定長印字領域ＡＲ１の印字内容と、固定長印字領域ＡＲ１と固定長印字領域ＡＲ２との間に設けた空白行と、固定長印字領域ＡＲ２の印字内容とを、長さ方向に連続して配置した印字内容を有し、この場合は、印刷内容のイメージが入力されなかった可変長印字領域ＡＲ３については削除された印字内容となる。
【００９３】
図１１（ｂ）は、可変長印字領域ＡＲ３には、印字内容のイメージとして、幅寸法が５４（ドット）で高さ寸法が５２（ドット）のイメージＩＭ１が入力された場合を示している。
【００９４】
この場合には、可変長印字領域ＡＲ３の印字内容として入力されたイメージＩＭ１の高さ方向の寸法が、可変長印字領域ＡＲ３の高さ方向の寸法よりも小さい。そこで、この場合、可変長印字領域ＡＲ３の高さ方向の寸法を、イメージＩＭ１の高さ方向の寸法に合わせて、長さＤＡだけ小さい寸法に再設定する。すなわち、イメージＩＭ１の印刷内容に合わせて、可変長印字領域ＡＲ３の高さ方向（長さ方向）の寸法が変わる（すなわち、可変長）。
【００９５】
そして、この場合、印刷出力されるライナーレスラベルＬは、図１２（ｂ）に示したように、固定長印字領域ＡＲ１の印字内容と、固定長印字領域ＡＲ１と固定長印字領域ＡＲ２との間に設けた空白行と、固定長印字領域ＡＲ２の印字内容と、固定長印字領域ＡＲ２と可変長印字領域ＡＲ３との間に設けた空白行と、高さ方向の寸法が長さＤＡだけ小さく再設定された可変長印字領域ＡＲ３の印字内容とを、長さ方向に連続して配置した印字内容を有する。
【００９６】
また、図１１（ｃ）は、可変長印字領域ＡＲ３には、印字内容のイメージとして、幅寸法が４５０（ドット）で高さ寸法が１６０（ドット）のイメージＩＭ２が入力された場合を示している。
【００９７】
この場合には、可変長印字領域ＡＲ３の印字内容として入力されたイメージＩＭ２の高さ方向の寸法が、可変長印字領域ＡＲ３の高さ方向の寸法よりも小さい。そこで、この場合、可変長印字領域ＡＲ３の高さ方向の寸法は、イメージＩＭ２の高さ方向の寸法に合わせて、長さＤＢだけ小さい寸法に再設定される。すなわち、イメージＩＭ２の印刷内容に合わせて、可変長印字領域ＡＲ３の高さ方向（長さ方向）の寸法が変わる（可変長）。
【００９８】
そして、この場合、印刷出力されるライナーレスラベルＬは、図１２（ｃ）に示したように、固定長印字領域ＡＲ１の印字内容と、固定長印字領域ＡＲ１と固定長印字領域ＡＲ２との間に設けた空白行と、固定長印字領域ＡＲ２の印字内容と、固定長印字領域ＡＲ２と可変長印字領域ＡＲ３との間に設けた空白行と、高さ方向の寸法が長さＤＢだけ小さく再設定された可変長印字領域ＡＲ３の印字内容とを、長さ方向に連続して配置した印字内容を有する。
【００９９】
また、図１１（ｄ）は、可変長印字領域ＡＲ３には、印字内容のイメージとして、幅寸法が５４（ドット）で高さ寸法が３００（ドット）のイメージＩＭ３が入力された場合を示している。
【０１００】
この場合には、可変長印字領域ＡＲ３の印字内容として入力されたイメージＩＭ３の高さ方向の寸法が、可変長印字領域ＡＲ３の高さ方向の寸法よりも大きい。このように、設定された可変長印字領域ＡＲ３の高さ方向の寸法よりも大きいイメージＩＭ３が、印字内容として入力された場合には、入力された印字内容を欠けることなく印字することができない。
【０１０１】
すなわち、この場合、印刷出力されるライナーレスラベルＬは、図１２（ｄ）に示したように、固定長印字領域ＡＲ１の印字内容と、固定長印字領域ＡＲ１と固定長印字領域ＡＲ２との間に設けた空白行と、固定長印字領域ＡＲ２の印字内容と、固定長印字領域ＡＲ２と可変長印字領域ＡＲ３との間に設けた空白行と、高さ方向の寸法を短縮しない可変長印字領域ＡＲ３の印字内容（後述）とを、長さ方向に連続して配置した印字内容を有する。
【０１０２】
そして、この場合の可変長印字領域ＡＲ３の印字内容は、図１２（ｄ）に示したように、例えば、「イメージのサイズがエリアより大きいため印字されません。」というような警告メッセージ（可変長印刷要素の印刷領域への印刷を行えない旨を報知するメッセージ）を中央部に配置した印字内容となる。
【０１０３】
このように、本実施例の印字レイアウトでは、おのおのの印字領域が、長さ方向に固定長の間隔を有して配置され、各印字領域におのおの設定される項目の印字内容は、長さ方向に固定長の空白行（間隔）で分離した態様で印字される。したがって、人（客など）がこのライナーレスラベルを読むと、そのライナーレスラベルに印字された各項目の内容を明確に識別できる。すなわち、客などは、本実施例のライナーレスラベルを読んで印字項目の内容を容易に把握することができる。
【０１０４】
そして、可変長印字領域の印字内容として入力されたイメージが、その可変長印字領域に収まらないような大きいイメージである場合には、可変長印字領域に入力されたイメージを印字できない旨を報知する警告メッセージを、その可変長印字領域に設定された印字領域内に印字するので、ライナーレスラベルのラベル用紙が無駄に消費されるようなことがない。
【０１０５】
図１３は、可変長印字領域に印字するイメージデータを入力する際に、制御部３１が行う処理の概略を示したフローチャートである。なお、この処理を制御部３１に実行させるためのプログラムデータは、例えば、記憶部３２のＲＯＭ３３に記憶させておくことができる。
【０１０６】
操作員が、上述したように、図９（ａ）に示した項目選択画面を表示させて、一連の操作を行うことにより、可変長印字領域を設定し（ステップＳ１０１）、その設定した可変長印字領域の印字内容であるイメージのデータを、適宜な手段を用いて入力する（ステップＳ１０２）と、制御部３１は、ステップＳ１０１で設定した可変長印字領域と、ステップＳ１０２で入力したイメージデータの印字領域サイズ（印字サイズ）とを比較し（ステップＳ１０３）、入力したイメージデータの印字領域サイズが可変長印字領域よりも大きいかどうかを調べる（ステップＳ１０４）。
【０１０７】
入力したイメージデータの印字領域サイズが可変長印字領域以下の場合で、ステップＳ１０４の結果がＮＯになるときには、その可変長印字領域の印字内容として入力したイメージデータを配置し（ステップＳ１０５）、入力したイメージデータの印字領域サイズに応じて、可変長印字領域の長さ方向の寸法を再設定して（ステップＳ１０６）、次の処理（省略）へと進む。
【０１０８】
一方、入力したイメージデータの印字領域サイズが可変長印字領域よりも大きい場合で、ステップＳ１０４の結果がＮＯになるときには、可変長印字領域の印字内容として、図１２（ｄ）に示したような「イメージのサイズがエリアより大きいため印字されません。」というような警告メッセージの印字データを配置して（ステップＳ１０７）、次の処理へと進む。
【０１０９】
以上説明したように、本実施例では、設定された可変長印字領域の長さ方向の寸法よりも入力された印字内容の長さ方向の寸法が小さい場合、印字内容に合わせて可変長印字領域の長さを小さく変える（再設定する）と共に、設定された可変長印字領域の長さ方向の寸法よりも入力された印字内容の長さ方向の寸法が大きい場合、その旨を報知して、そのような印字内容のラベルは印刷しないので、ラベル用紙が無駄に消費されることがなく、また、印字レイアウトの設定者（操作員）が意図していない印字レイアウトのラベルが印字されるようなことがない。
【０１１０】
また、客に対して印字内容を読みやすく提示するために、操作員が印字項目間に設けた空白行は、削除されずに維持されるので、操作員の操作に従って設定したラベルの印字レイアウトは崩れることがなく、客は印字されたラベルの内容を明確に読み取って把握することができる。
【０１１１】
また、本実施例の印字レイアウトは、１つの固定長印字領域または連続した複数の固定長印字領域をまとめてなる１つの印字領域と、その印字領域の印字方向の前部または後部の一方に、１つの可変長印字領域を配置した印字レイアウトであるが、それに限らず、例えば、１つの固定長印字領域または連続した複数の固定長印字領域をまとめてなる１つの印字領域と、その印字領域の印字方向の前部及び後部にそれぞれ１つの可変長印字領域（合計、２つの可変長印字領域）を配置する印字レイアウトを設定してもよい。
【０１１２】
なお、制御部３１に実行させるプログラムデータは、上述のように記憶部３２のＲＯＭ３３に記憶させておく以外に、適宜な通信手段を備え、必要に応じてその通信手段によりネットワークを介してプログラムデータを記録した記録媒体を備える外部機器あるいはプログラムデータを記憶手段に記憶した外部機器からダウンロードして実行させることも可能である。
【０１１３】
また、このようなプログラムデータは、例えば、記録媒体であるＣＤ−ＲＯＭあるいはフレキシブルディスク，ＭＯ，ＣＤ−Ｒ，ＣＤ−ＲＷ，ＤＶＤ＋Ｒ，ＤＶＤ＋ＲＷ，ＤＶＤ−Ｒ，ＤＶＤ−ＲＷ，又はＤＶＤ−ＲＡＭや、ＳＲＡＭ，ＮＯＶ−ＲＡＭ，ＥＥＰＲＯＭ，メモリカード等の不揮発性記録媒体（メモリ）に記録して提供することもできる。そのメモリに記録されたプログラムデータを制御部３１によりラベル発行貼付部４０Ｅにインストールして制御部３１に実行させるか、制御部３１にそのメモリからこのプログラムを読み出して実行させることにより、上述した各手順を実行させることができる。
【産業上の利用可能性】
【０１１４】
本発明は、可変長のラベルに印刷する内容を編集して形成するラベル編集装置であれば、どのようなラベル編集装置であっても適用することができる。例えば、可変長ラベルに印刷が可能な印刷機構を備えた印刷装置や、そのような印刷装置に供給する印刷用情報を生成するホスト装置（コンピュータシステム装置など）などについても、同様に適用することができる。
【符号の説明】
【０１１５】
４  操作表示部
３１  制御部
３２  記憶部
３３  ＲＯＭ
３４  ＲＡＭ
３８  操作入力部
３９  表示部
４０Ｅ  ラベル発行貼付部
４１  ラベル貼付部
【図１】
2014213605.tif 000003
【図２】
2014213605.tif 000004
【図３】
2014213605.tif 000005
【図４】
2014213605.tif 000006
【図５】
2014213605.tif 000007
【図６】
2014213605.tif 000008
【図７】
2014213605.tif 000009
【図８】
2014213605.tif 000010
【図９】
2014213605.tif 000011
【図１０】
2014213605.tif 000012
【図１１】
2014213605.tif 000013
【図１２】
2014213605.tif 000014
【図１３】
2014213605.tif 000015